(57)【要約】【課題】サッシの室内側に配置される窓枠について、その施工時や交換時における良好な施工性を実現する新規な構造を提案するものである。【解決手段】サッシ下枠８２に設けられる受部材６に対して取外し可能に固定される窓下枠２０であって、前記窓下枠２０は、前記サッシ下枠８２よりも室内側に配置される内装壁３に対し、室内方向に相対移動可能に構成されており、前記窓下枠２０を室内方向に移動させることで、前記窓下枠２０が前記受部材６から取外されることとする。【選択図】図１
2010159612.tif 000002
【特許請求の範囲】
【請求項１】
サッシ枠に設けられる受部材に対して取外し可能に固定される窓枠であって、
前記窓枠は、前記サッシ枠よりも室内側に配置される内装壁に対し、室内方向に相対移動可能に構成されており、
前記窓枠を室内方向に移動させることで、前記窓枠が前記受部材から取外される構成とする、窓枠。
【請求項２】
前記窓枠の室内側に設けられる係合部が、
前記受部材の室内側に設けられる係合部に対して、係脱自在に構成される、
ことを特徴とする請求項１に記載の窓枠。
【請求項３】
前記窓枠の室外側端部は、連結部材を介して前記サッシ枠に固定される構成とする、
ことを特徴とする請求項１又は請求項２に記載の窓枠。
【請求項４】
前記受部材は、前記サッシ枠と別部材であって、樹脂にて構成される、
ことを特徴とする請求項１乃至請求項３のいずれか一項に記載の窓枠。
【請求項５】
前記連結部材は、前記サッシ枠と別部材であって、樹脂にて構成される、
ことを特徴とする請求項１乃至請求項４のいずれか一項に記載の窓枠。
【請求項６】
サッシ枠に設けられる受部材に対して窓枠を室外方向に移動させ、前記受部材の室内側に設けられる係合部に対して、窓枠の室内側に設けられる係合部を係合させる工程と、
前記窓枠の室外側端部を連結部材を介して前記サッシ枠に固定させる工程と、
を有する、窓枠の施工方法。 
【発明の詳細な説明】
【技術分野】
【０００１】
本発明は、窓枠の構造及び施工方法に関し、より詳しくは、設置時及び交換時における施工性に優れた窓枠の構造を提案するものである。
【背景技術】
【０００２】
従来、建物開口部において、サッシの室内側に内装材となる窓枠が配置される構成が周知となっており、この建物開口部の構造について開示する文献も存在する（例えば、特許文献１参照。）。
【０００３】
この特許文献１に開示されるように、建物開口部における一般的な構造では、外装材で取り囲まれる空間に引き違いサッシが配置され、この引き違いサッシの室内側に内装材としての窓枠（額縁、膳板、縦額縁）が配置される構成としている。また、この特許文献１の図面に開示されるように、窓枠（額縁、膳板、縦額縁）には、それぞれ、内装壁の端部を収容するための凹部が設けられており、内装壁はこの凹部を位置決めの基準として施工がなされるものとなっている。
【先行技術文献】
【特許文献】
【０００４】
【特許文献１】特開平１１−１４１２３６号公報
【発明の概要】
【発明が解決しようとする課題】
【０００５】
特許文献１に開示される技術は、サッシの改装に関連する技術であり、長年使用されたサッシの交換の必要が生じた際の施工性の改良を図るものであるが、このサッシに限らず、窓枠についても交換の必要性が生じることが考えられる。
【０００６】
特に、日差しの多い箇所に設置されるサッシの室内側に配置される窓枠については、長時間にわたり強い日光にさらされるため、日焼けによる変色や、温度変化による変形など、経年によって退化することが考えられ、このような場合には、窓枠の交換作業が必要となることになる。
【０００７】
しかし、前述した従来の窓枠の構造では、内装壁の端部が窓枠の凹部に挿入されており、窓枠を交換する際には、内装壁の端部を切断する、若しくは、内装壁を取外すなどにより、窓枠と内装壁の縁を断つ必要がある。この内装壁の切断などの作業は大掛かりなものとなり、このほか、窓枠の周辺部の養生や内装クロス貼りなどの関連作業も発生してしまうことになるため、実質的に、窓枠交換のみの作業を行うことはできず、関連作業に伴うコスト高、施工期間の長期化、交換時の廃材の発生など、様々な問題が付随して発生してしまうことになる。
【０００８】
また、経年による退化は発生していない状況においても、内装のリフォームの際に、窓枠の意匠を変更したいというニーズも生じることが考えられる。このようなニーズに応えるためには、窓枠を容易に交換できる構成が必要とされることになる。
【０００９】
さらに、初回の窓枠の施工作業を考えた場合でも、従来の窓枠と内装壁による構造では、内装壁の端部が凹部に挿入される構造であり、内装壁はこの凹部を位置決めの基準として施工がなされるものであるため、内装壁の施工の前、又は、内装壁の施工と同時に、窓枠を設置しておかなければならないという制約が生じることになる。仮に、この手順に従わず、誤って内装壁の施工を先に完了してしまうと、内装壁の寸法が大きすぎて、窓枠の固定ができなくなる、若しくは、内装壁の寸法が小さすぎて、窓枠と内装壁の間に隙間が形成されてしまう、という問題が生じてしまうことになる。このような場合は、内装壁の施工のやり直し作業などが発生することになってしまう。この観点からも、窓枠と内装壁に関連する施工手順については、このような制約が生じないように設計することが重要となる。
【００１０】
そこで、本発明は、以上の問題点に鑑み、サッシの室内側に配置される窓枠について、その施工時や交換時における良好な施工性を実現する新規な構造を提案するものである。
【課題を解決するための手段】
【００１１】
本発明の解決しようとする課題は以上の如くであり、次にこの課題を解決するための手段を説明する。
【００１２】
即ち、請求項１に記載のごとく、
サッシ枠に設けられる受部材に対して取外し可能に固定される窓枠であって、
前記窓枠は、前記サッシ枠よりも室内側に配置される内装壁に対し、室内方向に相対移動可能に構成されており、
前記窓枠を室内方向に移動させることで、前記窓枠が前記受部材から取外される、
構成とするものである。
【００１３】
また、請求項２に記載のごとく、
前記窓枠の室内側に設けられる係合部が、
前記受部材の室内側に設けられる係合部に対して、係脱自在に構成されることとする。
【００１４】
また、請求項３に記載のごとく、
前記窓枠の室外側端部は、連結部材を介して前記サッシ枠に固定される構成とする。
【００１５】
また、請求項４に記載のごとく、
前記受部材は、前記サッシ枠と別部材であって、樹脂にて構成される。
【００１６】
また、請求項５に記載のごとく、
前記連結部材は、前記サッシ枠と別部材であって、樹脂にて構成される。
【００１７】
また、請求項６に記載のごとく、
サッシ枠に設けられる受部材に対して窓枠を室外方向に移動させ、前記受部材の室内側に設けられる係合部に対して、窓枠の室内側に設けられる係合部を係合させる工程と、
前記窓枠の室外側端部を連結部材を介して前記サッシ枠に固定させる工程と、
を有する、窓枠の施工方法とするものである。
【発明の効果】
【００１８】
本発明の効果として、以下に示すような効果を奏する。
【００１９】
即ち、請求項１に記載の発明においては、
リフォーム時などにおいて、内装壁を切断するなどの作業をすることなく、窓枠の取外し、取付けを容易に行うことができる。
【００２０】
また、請求項２に記載の発明においては、
窓枠が室内側において固定され、室内側において窓枠にズレが生じない確実な固定が実現できる。
【００２１】
また、請求項３に記載の発明においては、
窓枠が室外側において固定され、室外側において窓枠にズレが生じない確実な固定が実現できる。
【００２２】
また、請求項４に記載の発明においては、
受部材の表面の結露や、この結露による窓枠への水の付着、汚れ、さらには、退化といった不具合を防止することができる。
【００２３】
また、請求項５に記載の発明においては、
連結部材の表面の結露や、この結露による窓枠への水の付着、汚れ、さらには、退化といった不具合を防止することができる。
【００２４】
また、請求項６に記載の発明においては、
内装壁の施工と、窓枠の施工とを、別個独立して実施することが可能となり、ひいては、施工性を向上させることができる。
【図面の簡単な説明】
【００２５】
【図１】（ａ）は受部材に対する窓下枠の取付けについて説明する図。（ｂ）は連結部材に対する窓下枠の固定について示す図。
【図２】サッシと窓枠が配置される開口部の垂直断面図。
【図３】窓下枠とサッシ下枠の部位における拡大断面図。
【図４】（ａ）は連結部材の構成の詳細について示す図。（ｂ）は連結部材と窓下枠を連結固定した状態について示す図。
【図５】（ａ）は係合部材の構成の詳細について示す図。（ｂ）は係合部材が内装壁よりも右側に移動した状態について示す図。
【図６】窓上枠とサッシ上枠の部位における拡大断面図。
【図７】窓縦枠とサッシ縦枠の部位における拡大断面図。
【発明を実施するための形態】
【００２６】
次に、発明の実施の形態を説明する。
図１（ａ）に示すように、発明の実施形態は、窓枠１の下部を構成する窓下枠２０を、図において左側に移動させることで受部材６に対して取付ける構成とするものである。これにより、窓下枠２０の取付については、内装壁３の施工とは別個に実施することができ、施工性が優れたものとなる。また、逆に、窓下枠２０の取外しは、窓下枠２０を図において右側に移動させることで、受部材６から取外すことができる。これにより、内装壁３を切断するなどの作業の必要がないため、窓下枠２０の交換作業を容易に実施することができる。なお、本明細書中において説明する内装壁３には、室内空間を形成する内装面を構成する部材であって、その室内側面をクロス張りしたものや、素材表面がそのまま現れている壁部材などが広く含まれる。
以下、詳細について説明する。
【００２７】
図２は、外装材７の開口部に設置されるサッシ８とその内側に配置される窓枠１の配置を示す垂直断面図であり、サッシ８においては、サッシ上枠８１、サッシ下枠８２が図示されており、窓枠１においては、窓上枠１０と、窓下枠２０、窓縦枠３０とが図示されている。
【００２８】
まず、図３に示すごとく、サッシ下枠８２は、本例では、窓台２（躯体であってもよい）に支持される中空の長尺部材であり、上方に向けて図示せぬ障子をガイドするためのレール壁９１・９２が立設されている。また、サッシ下枠８２の室内側には、上下方向の室内側壁面８４が構成されており、この室内側壁面８４に受部材６の室外側固定部６ａが固定されている。
【００２９】
また、図３に示すごとく、この受部材６は、窓下枠２０の位置決めを行うとともに、窓下枠２０を支持するものであり、サッシ下枠８２の室内側壁面８４に固定される室外側固定部６ａと、該室外側固定部６ａの上下中途部より室内側へ延設される水平面部６ｂを有している。この受部材６は、サッシ下枠８２と同様に、図３の紙面と直交する方向に長い長尺部材で構成される。
【００３０】
また、図３に示すごとく、受部材６は、室外側固定部６ａが固着具９８によってサッシ下枠８２に対して固定され、室内側固定部６ｃが固着具９９によって胴縁９に対して固定されている。このように、受部材６が室外側・室内側の二箇所で固定されることにより、受部材６にズレが生じない確実な固定がされるようになっている。
【００３１】
また、図３に示すごとく、受部材６の室外側固定部６ａにおける水平面部６ｂよりも上の部位には、窓下枠２０の室外側端部２１と対向する垂直対向面６ｄが構成されている。この垂直対向面６ｄの上下寸法は、窓下枠２０の室外側端部２１の上下寸法と略同一となるように設計される。また、受部材６の水平面部６ｂの上面は、窓下枠２０の下面２２と対向する水平対向面６ｅとして構成される。
【００３２】
また、図３に示すごとく、サッシ下枠８２においてレール壁９２の室内側に構成される溝部８５には、サッシ下枠８２と窓下枠２０の室外側端部２１を連結するための連結部材７２が固定されている。この連結部材７２は、サッシ下枠８２側に固定されるサッシ側固定部７２ａと、窓下枠２０側に固定される窓枠側固定部７２ｂを有している。また、窓枠側固定部７２ｂは、窓下枠２０の上面２３に対して当着されつつ固着具９７によって窓下枠２０に対して固定されるようになっている。また、この連結部材７２は、サッシ下枠８２と同様に、図３の紙面と直交する方向に長い長尺部材で構成される。
【００３３】
また、図４（ａ）（ｂ）は連結部材７２の詳細について示すものであり、連結部材７２の室外側には、サッシ下枠８２側に固定されるサッシ側固定部７２ａが、連結部材７２の室内側には、窓下枠２０側に固定される水平板状の窓枠側固定部７２ｂが設けられている。
また、サッシ側固定部７２ａの室外側には、レール壁９２の基端部に形設される係止突部９２ａに係止される係止脚部７２ｃが設けられている。また、サッシ側固定部７２ａの室内側には、サッシ下枠８２の室内側壁面８４に形設される係止突部８４ａに係止される係止脚部７２ｄが設けられている。この構成により、サッシ側固定部７２ａがサッシ下枠８２に係止固定されるようになっている。
【００３４】
そして、図４（ａ）に示すごとく、連結部材７２のサッシ側固定部７２ａをサッシ下枠８２に係止固定した状態においては、窓枠側固定部７２ｂと受部材６の水平面部６ｂの間には、窓枠挿入隙間８６が形成され、この窓枠挿入隙間８６に窓下枠２０の室外側端部２１が挿入されるようになっている。そして、図４（ｂ）に示すごとく、連結部材７２の上方から固着具９７を窓下枠２０に螺挿することで、連結部材７２と窓下枠２０とが連結固定されるようになっている。
【００３５】
また、図３に示すごとく、窓下枠２０の室内側端部２４の上下寸法は、他の部位よりも大きく構成され、室内側端部２４の室外側面２４ａが、内装壁３の室内側面３ａに当着されるようになっている。このように、室内側端部２４の室外側面２４ａを内装壁３の室内側面３ａに当着させることによって、窓下枠２０の室内外方向の位置決めを行えるようになっている。
【００３６】
また、図３及び図５（ａ）に示すごとく、窓下枠２０の下面２２における室内側の部位であって、室内側端部２４の近傍となる部位には、係合部材２５が設けられている。また、係合部材２５の室外側端部には係合部２５ａが設けらており、この係合部２５ａは弾性変形によって図において上下方向に撓むことができるようになっている。また、係合部材２５は、固着具２６によって窓下枠２０の下面２２に固定されている。一方、前記受部材６の水平面部６ｂの室内側端部には、下側に突出する係合部６ｆが構成されている。そして、係合部２５ａ・６ｆが係合し合うことで、係合部材２５が受部材６に対して係合されるようになっている。
【００３７】
また、図５（ａ）に示すごとく、この係合部材２５と受部材６の係合は、窓下枠２０が左方向に移動された際に、係合部２５ａが係合部６ｆに突き当てられて下方へ撓み、その後、係合部２５ａが弾性復帰することで形成される。そして、この係合が形成された後は、窓下枠２０の右側方向への移動が規制され、窓下枠２０の抜けが規制されるようになっている。一方、図５（ｂ）に示すごとく、窓下枠２０が右方向へ強く引かれた際には、係合部材２５がその弾性によって下方へ撓み、係合部２５ａが係合部６ｆを乗り越えることで、窓下枠２０を右方向へ取外すことができるようになっている。
【００３８】
また、図５（ａ）に示すごとく、係合部材２５は、その室内側において内装壁３の端面３ｄに対向する面を構成する内装壁対向部２５ｂと、内装壁対向部２５ｂよりも室外側であって、窓下枠２０の下面２２側へ位置をずらして構成される窓下面取付部２５ｃと、窓下面取付部２５ｃよりも室外側であって、窓下枠２０の下面２２から離れる方へ位置をずらして構成される屈曲部２５ｄを有する構成としている。また、この屈曲部２５ｄの先端に係合部２５ａが構成されることとしている。
【００３９】
そして、窓下面取付部２５ｃが、内装壁対向部２５ｂと比較して、窓下枠２０の下面２２側（図において上方）へ位置をずらして構成されることにより、この窓下面取付部２５ｃの下方（窓下枠２０の下面２２と反対側）に空隙部４０が構成される。この空隙部４０に固着具２６の頭部が収容されるようになっており、この固着具２６の頭部が内装壁３にぶつかることなく、係合部材２５を内装壁３の右側に移動させることが可能となっている。係合部材２５を図において右側方向へ移動できるようになっている。また、前記屈曲部２５ｄは、内装壁対向部２５ｂと比較して、窓下枠２０の下面２２側（図において上方）へ位置をずらして構成される。これにより、屈曲部２５ｄが内装壁３の端面にぶつからず、内装壁３の上方を通って図において右側へ移動することができ、係合部材２５を全体として内装壁３よりも右側へ移動できるようになっている。
【００４０】
そして、図５（ａ）に示すごとく、以上の係合部材２５の構成について換言するならば、窓下枠２０に内装壁３の端面３ｄと対向する内装壁対向部２５ｂを有する係合部材２５を設け、この内装壁対向部２５ｂよりも室外側に、窓下枠２０を取外す際に内装壁３とぶつかる部位が形成されないこととする、というものである。つまり、内装壁３と干渉させることなく、窓下枠２０を取外せるというということである。
【００４１】
なお、図３に示すごとく、本実施例では、係合部材２５は、窓下枠２０と同様に、図３の紙面と直交する方向に長い板状の長尺部材であって、受部材６の係合部６ｆに下側から覆い被さるような構成としており、これにより、窓下枠２０の幅方向（紙面と直交する方向）の広い範囲において、窓下枠２０を受部材６に係合、固定させることができるようになっている。
【００４２】
また、図３に示すごとく、以上の構成において、窓下枠２０は、その室外側端部２１が連結部材７２を介してサッシ下枠８２に固定されるとともに、室内側端部２４が係合部材２５を介して受部材６に固定される。このように、窓下枠２０が室外側・室内側の二箇所で固定されることにより、窓下枠２０にズレが生じない確実な固定が実現されるようになっている。
【００４３】
また、図３に示すごとく、以上の構成において、受部材６は、アルミなどの金属よりも熱伝導率の低い樹脂（例えば、硬質ポリ塩化ビニルやＡＢＳ樹脂等）にて構成されることが望ましい。これによれば、室外と直接触れることになるサッシ下枠８２の温度が低下した場合でも、受部材６の温度の低下を抑制することができ、受部材６の表面の結露や、この結露による窓下枠２０への水の付着、汚れ、さらには、退化といった不具合を防止することができる。なお、本実施例では、受部材６をサッシ下枠８２と別部材で構成したが、サッシ下枠８２ついて前述の受部材の形状の部位を設けることとしてもよい。
【００４４】
また、図３に示すごとく、受部材６と同様に、連結部材７２についても、アルミなどの金属よりも熱伝導率の低い樹脂（例えば、硬質ポリ塩化ビニルやＡＢＳ樹脂等）にて構成されることが望ましい。これによれば、連結部材７２の表面への結露を防止することができ、この表面への水の付着、汚れ、さらには、退化といった不具合を防止することができる。なお、本実施例では、連結部材７２をサッシ下枠８２及び受部材６と別部材で構成したが、サッシ下枠８２ついて前述の連結部材の形状の部位を設けることとすることや、受部材６について前述の連結部材の形状の部位を設けることとしてもよい。
【００４５】
次に、以上の構成とする窓下枠２０の施工について説明する。
施工時においては、図１（ａ）に示すごとく、まずは、サッシ下枠８２及び受部材６を施工した状態とし、また、連結部材７２については、その屋外側のサッシ側固定部７２ａ（図３参照）をサッシ下枠８２に係合させた状態とする。さらに、内装壁３を施工した状態とする。ここで、受部材６については、サッシ下枠８２に予め固定した状態で躯体側に設置してもよく、また、サッシ下枠８２を躯体側に固定した後に受部材６をサッシ下枠８２に設置してもよい。この他、サッシ下枠８２と受部材６が一体成形される構成としてもよい。同様に、連結部材７２についても、サッシ下枠８２に予め係合させた状態で躯体側に設置してもよく、また、サッシ下枠８２を躯体側に固定した後に連結部材７２をサッシ下枠８２に係合させてもよい。
【００４６】
次に、図１（ａ）に示すごとく、固着具９９にて受部材６の室内側固定部６ｃを胴縁９に対し固定する。これにより、受部材６の施工が完了される。
【００４７】
次に、図１（ａ）に示すごとく、窓下枠２０を図において左方向に移動させて、受部材６に対する窓下枠２０の取付を行う。この際、窓下枠２０の下面２２を受部材６の水平面部６ｂの上面に載せて、この上面を滑らせるように移動させることとする。そして、窓下枠２０に設けた係合部材２５の係合部２５ａを、受部材６の係合部６ｆに係合させることによって、受部材６に対して窓下枠２０が係合固定される（図３参照）。ここでの窓下枠２０の係合固定の作業においては、図３に示すごとく、窓下枠２０の室内側端部２４の室外側面２４ａが、内装壁３の室内側面３ａに当着されることにより、窓下枠２０の室内外方向の位置決めを行うことができ、施工性が良好なものとなる。
【００４８】
以上の作業により、図１（ｂ）のように、受部材６と連結部材７２の間に、窓下枠２０の室外側端部２１が挿入された状態となり、この状態において固着具９７を連結部材７２の上方から螺挿することにより、連結部材７２と窓下枠２０が連結され、窓下枠２０の施工が完了される。
【００４９】
そして、図１（ａ）（ｂ）に示すごとく、この一連の作業においては、内装壁３の施工と、窓下枠２０の施工とを、別個独立して実施することが可能となり、内装壁３と窓下枠２０の施工手順に関する問題を解決できることになる。つまり、前述のように、先に内装壁３を施工した後に窓下枠２０を取付ける手順を規定の手順とするものであるが、仮に、内装壁３の施工よりも前に窓下枠２０を取付けてしまった場合でも、固着具９７を取外し、窓下枠２０を取外すことで内装壁３の施工を実施することができ、簡単にやり直しができる。さらに、図３に示すごとく、窓下枠２０の室内側端部２４によって、内装壁３の端部３ｂを覆い隠すことができるため、端部３ｂの加工精度・施工精度の誤差の問題を窓下枠２０によって解消することが可能となる。
【００５０】
また、リフォーム時などにおいて、窓下枠２０を交換する際には、図１（ｂ）、図３及び図５（ａ）（ｂ）に示すごとく、固着具９７を取外した後、窓下枠２０を図において右方向に引き出すことによれば、窓下枠２０を取外すことができる。この取外しの際には、内装壁３を切断するなどの作業の必要がなく、短時間で簡単に窓下枠２０の取外しを完了することができる。そして、新たな窓下枠を準備し、取付けを行うものであるが、前述のごとく、その取付け作業は、新たな窓下枠を受部材６に取付け、固着具９７にて連結部材７２と窓下枠を連結することにより、短時間で簡単に新たな窓下枠を取付けることができる。このように、窓下枠２０の交換作業は、固着具９７の取付／取外し、及び、窓下枠２０の取付／取外しのみとなるため、短時間で簡単に実施することが可能となるのである。そして、このことは、内装壁３と窓下枠２０の縁が断たれているという本実施例の特徴的な構造によって実現されるものである。
【００５１】
また、以上の説明では、図３に示すごとく、窓下枠２０に関連する構成について説明したが、図６に示すごとく、窓上枠１０についても、同様の構成を適用することができる。この図６において、窓上枠１０の室内側において、係合部材２５の係合部２５ａが受部材６の係合部６ｆに対して係合固定されるとともに、窓上枠１０の室外側端部１１が連結部材７１を介してサッシ上枠８１に固定される。そして、連結部材７１と窓上枠１０の連結／連結解除は、固着具１２の取付／取外しによって行うことができる。このような構造により、窓上枠１０についても、その施工作業、交換作業を容易に行うことができる。
【００５２】
なお、図６に示すごとく、連結部材７１については、下方への落下を防止できるように、固着具９６により、サッシ上枠８１に対して固定することが望ましい。その他の詳細な構成については、図３に示される窓下枠２０、サッシ下枠８２に関する構造と同様であり、説明を省略する。
【００５３】
また、図７に示すごとく、前述の構造は、窓縦枠３０についても、同様の構成を適用することができる。窓縦枠３０の室内側において、係合部材２５Ａの係合部２５Ａａが受部材６Ａの係合部６Ａｆに対して係合固定されるとともに、窓縦枠３０の室外側端部３１が連結部材７３を介してサッシ縦枠８３に固定される。そして、連結部材７３と窓縦枠３０の連結／連結解除は、固着具１３の取付／取外しによって行うことができる。このような構造により、窓縦枠３０についても、その施工作業、交換作業を容易に行うことができる。
【００５４】
なお、図７に示すごとく、受部材６Ａの水平面部６ｂの長手方向中途部は、柱５（又は躯体）に対して固着具９５によって固定されることとしている。また、連結部材７３については、下方への落下を防止できるように、固着具１４により、柱５（又は躯体）に対して固定することが望ましい。
【００５５】
以上のようにして、本発明の実施が可能となる。
即ち、図１及び図３に示す窓下枠２０の例でいえば、サッシ下枠８２に設けられる受部材６に対して取外し可能に固定される窓下枠２０であって、前記窓下枠２０は、前記サッシ下枠８２よりも室内側に配置される内装壁３に対し、室内方向に相対移動可能に構成されており、前記窓下枠２０を室内方向に移動させることで、前記窓下枠２０が前記受部材６から取外されることとするものである。
【００５６】
これにより、リフォーム時などにおいて、内装壁３を切断するなどの作業をすることなく、窓下枠２０の取外し、取付けを容易に行うことができる。
【００５７】
また、図１及び図３に示すごとく、前記窓下枠２０の室内側に設けられる係合部材２５の係合部２５ａが、受部材６の室内側に設けられる係合部６ｆに対して、係脱自在に構成されることとしている。
【００５８】
これにより、窓下枠２０が室内側において固定され、室内側において窓下枠２０にズレが生じない確実な固定が実現できる。
【００５９】
また、図１及び図３に示すごとく、前記窓下枠２０の室外側端部２１は、連結部材７２を介してサッシ下枠８２に固定される構成としている。
【００６０】
これにより、窓下枠２０が室外側において固定され、室外側において窓下枠２０にズレが生じない確実な固定が実現できる。
【００６１】
また、図１及び図３に示すごとく、前記受部材６は、前記サッシ下枠８２と別部材であって、樹脂にて構成されることが望ましく、また、前記連結部材７２は、前記サッシ下枠８２と別部材であって、樹脂にて構成されることが望ましい。
【００６２】
これにより、室外と直接触れることになるサッシ下枠８２の温度が低下した場合でも、受部材６や連結部材７２の温度の低下を抑制することができ、受部材６や連結部材７２の表面の結露や、この結露による窓下枠２０への水の付着、汚れ、さらには、退化といった不具合を防止することができる。
【００６３】
また、図１に示すごとく、サッシ下枠８２に設けられる受部材６に対して窓下枠２０を室外方向に移動させ、前記受部材６の室内側に設けられる係合部６ｆに対して、窓下枠２０の室内側に設けられる係合部６ｆを係合させる工程と、
前記窓下枠２０の室外側端部２１を連結部材７２を介して前記サッシ下枠８２に固定させる工程と、を有する、窓枠の施工方法とするものである。
【００６４】
これにより、内装壁３の施工と、窓下枠２０の施工とを、別個独立して実施することが可能となり、ひいては、施工性を向上させることができる。
【産業上の利用可能性】
【００６５】
本発明の構造は、建物開口部の室内側に設けられる窓枠について幅広く適用可能である。また、サッシの形態を選ぶことなく、例えば、引き違いサッシ、ＦＩＸ窓、片開き窓などの各種形態のサッシとともに用いられる窓枠として、幅広く適用することができる。
【符号の説明】
【００６６】
１    窓枠
３    内装壁
６    受部材
８    サッシ
９    胴縁
２０    窓下枠
２５    係合部材
７２    連結部材
８２    サッシ下枠
【図１】
2010159612.tif 000003
【図２】
2010159612.tif 000004
【図３】
2010159612.tif 000005
【図４】
2010159612.tif 000006
【図５】
2010159612.tif 000007
【図６】
2010159612.tif 000008
【図７】
2010159612.tif 000009